(57)【要約】【課題】イオンの有効な範囲を可視化することができ、肌水分量を向上させることができるイオン発生装置の提供。【解決手段】送風ハウジング１内に設けたイオン発生手段により各別に発生させたプラスイオン及びマイナスイオンを送気口１７を通じて所定方向へ送り出すと共に、ミストＳＷ１０２が押操作された場合、送風ハウジング１に連設されるタンクハウジング５内で霧状化した液体を、タンクハウジング５に設けた噴射口６２を通じて、イオンを送り出す方向（前記所定方向）と同方向に噴射する。【選択図】図１
2014057737.tif 000002
【特許請求の範囲】
【請求項１】
吸気口及び送気口を有し、該吸気口から送気口に至る通気路を設けてある送風ハウジング内に、プラスイオン及びマイナスイオンを各別に発生させて前記通気路へ放出するイオン発生手段と、前記吸気口から吸入される空気を前記送気口を通じて所定方向へ送り出すための空気流を発生させる送風手段とを備えるイオン発生装置において、
液体を貯留するタンクと、該タンクに貯留された液体を霧状化する霧状化手段とを収容するタンクハウジングを、前記送風ハウジングに連設してあり、
前記霧状化手段により霧状化した液体を、前記所定方向と同方向に前記タンクハウジングの外部へ噴射する噴射手段を備える
ことを特徴とするイオン発生装置。
【請求項２】
前記イオン発生手段は、プラスイオンを発生させるプラスイオン発生部と、マイナスイオンを発生させるマイナスイオン発生部とを備え、
前記プラスイオン発生部及びマイナスイオン発生部を前記所定方向と交差する交差方向に離隔して設けてあり、
前記送気口は、前記プラスイオン発生部及びマイナスイオン発生部の間隔よりも前記交差方向に長い開口である
ことを特徴とする請求項１に記載のイオン発生装置。
【請求項３】
前記噴射手段は、前記霧状化手段により霧状化した液体を噴射する噴射口を前記タンクハウジングに有し、
前記噴射口を、前記交差方向と直交する方向に前記送気口の中央から離隔して設けてある
ことを特徴とする請求項２に記載のイオン発生装置。
【請求項４】
前記送風ハウジングは、前記所定方向に湾曲した外周面を有し、
該外周面に前記送気口を設けてあることを特徴とする請求項２又は請求項３に記載のイオン発生装置。
【請求項５】
前記プラスイオン発生部より発生させたプラスイオンを含む空気と前記マイナスイオン発生部より発生させたマイナスイオンを含む空気とを区画する区画壁を、前記送気口に設けてあることを特徴とする請求項２から請求項４の何れか１つに記載のイオン発生装置。
【請求項６】
前記霧状化手段により霧状化した液体を噴射させる指示を受付ける手段を備え、
前記イオン発生手段によりイオンを発生させている間に、前記指示を受付けた場合、所定時間だけ前記液体を噴射させるようにしてあることを特徴とする請求項１から請求項５の何れか１つに記載のイオン発生装置。
【発明の詳細な説明】
【技術分野】
【０００１】
本発明は、イオンにより肌水分量を向上させるイオン発生装置に関する。
【背景技術】
【０００２】
イオンによって居住空間内の空気を清浄化する空気清浄機が実用化されている。このような空気清浄機では、送風機が外部から吸い込んだ空気が流れる送風路内にプラスイオン及びマイナスイオンを発生させるイオン発生器が配設され、発生したイオンを吹出口から吹き出される空気と共に外部へ放出させている（例えば、特許文献１を参照）。放出されたイオンは、室内等の居住空間において空気中の浮遊細菌等を不活性化させ、死滅させると共に臭気成分を変性させる。その結果、居住空間内の空気が清浄化される。
【０００３】
また、近年では、イオンによる除菌効果だけでなく、人の肌に照射することにより肌水分量を向上させる保湿効果が注目されつつある。例えば、プラスイオンとして、Ｈ+ （Ｈ2 Ｏ）m （ｍは０又は任意の自然数）、マイナスイオンとして、Ｏ2-（Ｈ2 Ｏ）n （ｎは０又は任意の自然数）を人の肌に照射した場合、肌水分量が増加することが知られている（特許文献２を参照）。Ｈ+ イオン及びＯ2-イオンを同時的に照射することで肌表面に・ＯＨ基が付着し、肌表面が局所的に親水化されて水分子が付着し、肌に浸透しやすくなるという効果が得られる。
【先行技術文献】
【特許文献】
【０００４】
【特許文献１】特開２００６−２９６６５号公報
【特許文献２】特許第４７９００６８号公報
【発明の概要】
【発明が解決しようとする課題】
【０００５】
しかしながら、前述したＨ+ イオン及びＯ2-イオンは、ナノサイズの粒子であり、人の眼には見えないため、イオンの有効な範囲が利用者からは分かりにくいという問題点を有していた。
【０００６】
本発明は、斯かる事情に鑑みてなされたものであり、イオンの有効な範囲を可視化することができ、肌水分量を向上させることができるイオン発生装置を提供することを目的とする。
【課題を解決するための手段】
【０００７】
本発明に係るイオン発生装置は、吸気口及び送気口を有し、該吸気口から送気口に至る通気路を設けてある送風ハウジング内に、プラスイオン及びマイナスイオンを各別に発生させて前記通気路へ放出するイオン発生手段と、前記吸気口から吸入される空気を前記送気口を通じて所定方向へ送り出すための空気流を発生させる送風手段とを備えるイオン発生装置において、液体を貯留するタンクと、該タンクに貯留された液体を霧状化する霧状化手段とを収容するタンクハウジングを、前記送風ハウジングに連設してあり、前記霧状化手段により霧状化した液体を、前記所定方向と同方向に前記タンクハウジングの外部へ噴射する噴射手段を備えることを特徴とする。
【０００８】
本発明に係るイオン発生装置は、前記イオン発生手段は、プラスイオンを発生させるプラスイオン発生部と、マイナスイオンを発生させるマイナスイオン発生部とを備え、前記プラスイオン発生部及びマイナスイオン発生部を前記所定方向と交差する交差方向に離隔して設けてあり、前記送気口は、前記プラスイオン発生部及びマイナスイオン発生部の間隔よりも前記交差方向に長い開口であることを特徴とする。
【０００９】
本発明に係るイオン発生装置は、前記噴射手段は、前記霧状化手段により霧状化した液体を噴射する噴射口を前記タンクハウジングに有し、前記噴射口を、前記交差方向と直交する方向に前記送気口の中央から離隔して設けてあることを特徴とする。
【００１０】
本発明に係るイオン発生装置は、前記送風ハウジングは、前記所定方向に湾曲した外周面を有し、該外周面に前記送気口を設けてあることを特徴とする。
【００１１】
本発明に係るイオン発生装置は、前記プラスイオン発生部より発生させたプラスイオンを含む空気と前記マイナスイオン発生部より発生させたマイナスイオンを含む空気とを区画する区画壁を、前記送気口に設けてあることを特徴とする。
【００１２】
本発明に係るイオン発生装置は、前記霧状化手段により霧状化した液体を噴射させる指示を受付ける手段を備え、前記イオン発生手段によりイオンを発生させている間に、前記指示を受付けた場合、所定時間だけ前記液体を噴射させるようにしてあることを特徴とする。
【００１３】
本発明にあっては、送風ハウジング内に設けたイオン発生手段により各別に発生させたプラスイオン及びマイナスイオンを送気口を通じて所定方向へ送り出すと共に、送風ハウジングに連設されるタンクハウジング内で霧状化した液体を、イオンを送り出す方向（前記所定方向）と同方向に噴射する構成としている。
【００１４】
送気口より送り出したプラスイオン及びマイナスイオンは、その多くが送気口の付近で結合しないため、照射部位に到達し易くなる。イオン発生手段により発生させるイオンを、例えば、Ｈ+ イオン及びＯ2-イオンとした場合、照射部位である肌表面に・ＯＨ基が付着し、肌表面が局所的に親水化されて水分子が付着しやすい状態となる。本願では、イオンの照射と共に、イオンの照射方向と同方向にミストを噴射することが可能であるため、照射部位である肌表面付近にてイオン及びミストが混在した状態となる。このため、肌表面に付着した・ＯＨ基の周囲に十分な水分子が供給され、より効率的にナノサイズの水分子が生成される。
【発明の効果】
【００１５】
本発明によれば、イオンの照射方向と同方向にミストを噴射するため、例えば、照射するイオンをＨ+ イオン及びＯ2-イオンとした場合、肌表面に付着した・ＯＨ基の周囲に十分な水分子を供給することができ、より効率的にナノサイズの水分子を生成させることができ、この結果、水分子が肌に浸透しやすくなり、肌水分量を増加させることができるという効果を奏する。
【図面の簡単な説明】
【００１６】
【図１】本実施の形態に係るイオン発生装置の使用例を示す模式図である。
【図２】本実施の形態に係るイオン発生装置の使用例を示す模式図である。
【図３】本実施の形態に係るイオン発生装置の正面図である。
【図４】本実施の形態に係るイオン発生装置の正面図である。
【図５】本実施の形態に係るイオン発生装置の斜視図である。
【図６】本実施の形態に係るイオン発生装置の縦断面図である。
【図７】イオン発生装置の制御系の構成を示すブロック図である。
【図８】イオン発生装置の動作手順を説明するフローチャートである。
【図９】プラズマクラスタユニット及び送気口の位置関係を示す図である。
【図１０】イオン及びミストの照射方向を示す模式図である。
【発明を実施するための形態】
【００１７】
本発明をその実施の形態を示す図面に基づいて具体的に説明する。
図１及び図２は本実施の形態に係るイオン発生装置の使用例を示す模式図である。本実施の形態に係るイオン発生装置は、バッテリを内蔵した携帯型の美容器であり、イオンを発生させる機能とミストを発生させる機能とを有する。図１は、利用者の手により把持された状態での使用例を示し、図２は、充電機能を備えたクレードルに載置された状態での使用例を示している。利用者は、イオン発生装置を手に持った状態で装置正面を顔や腕などの照射部位に近づけ、イオン及びミストを発生させることにより、肌表面の保湿を行う。また、イオン発生装置をクレードルに載置した状態でイオン及びミストを発生させ、顔や腕などの照射部位を装置正面に近づけることにより、肌表面の保湿を行う。
【００１８】
イオン発生装置は、平面視で共に楕円形をなす有底筒状の送風ハウジング１及びタンクハウジング５を有しており、これら２つのハウジングを筒軸方向に連設した構成としている。送風ハウジング１内には、イオンを発生させるためのプラズマクラスタユニット３が設けられ、タンクハウジング５には、ミストを発生させるためのミスト発生器６が設けられている（図６を参照）。イオン発生装置を手持ちで使用する場合、図１に示すように、利用者は、送風ハウジング１が下側、タンクハウジング５が上側となるように、送風ハウジング１の中央付近を把持してイオン及びミストを発生させる。
【００１９】
送風ハウジング１の側面には装置全体の電源を入切りするための電源スイッチ１０１（以下、電源ＳＷ１０１という）が設けられている。また、タンクハウジング５の上面にはミストを発生させるためのミストスイッチ１０２（以下、ミストＳＷ１０２という）が設けられている。本実施の形態では、電源ＳＷ１０１をスライド式のスイッチにより構成し、ミストＳＷ１０２をプッシュ式のスイッチにより構成している。
【００２０】
イオン発生装置は、電源ＳＷ１０１が入操作された場合、プラズマクラスタユニット３を作動させ、電源ＳＷ１０１が入状態の間だけ継続的にイオンを発生させる。また、イオン発生装置は、ミストＳＷ１０２が押操作された場合、ミスト発生器６を作動させ、所定時間（例えば、３０秒）だけミストを発生させる。
【００２１】
送風ハウジング１の上端付近の位置（イオン発生装置の中央から少しだけ上側の位置）に、横方向に長い送気口１７を設けてあり、プラズマクラスタユニット３で発生させたイオンを送気口１７を通じて装置正面の所定方向（以下、照射方向という）に送り出す構成としている。また、送気口１７より適長だけ上側に離隔したタンクハウジング５の正面にミストの噴射口６２を設けてあり、ミスト発生器６で発生させたミストを、イオンの照射方向と同方向に噴射する構成としている。
【００２２】
図３及び図４は本実施の形態に係るイオン発生装置の正面図、図５は斜視図、図６は縦断面図である。本実施の形態に係るイオン発生装置は、タンクハウジング５及び送気口１７の周囲を覆うキャップを取り付け可能になしてある。図３はイオン発生装置にキャップを取り付けた状態、図４はイオン発生装置からキャップを取り外した状態を示している。また、図６は図４のＶＩ−ＶＩ線における断面図を示している。以下では、正面側を前とし、背面側を後ろとして説明を行う。
【００２３】
本実施の形態に係るイオン発生装置は、有底筒状の送風ハウジング１の内部に、送風手段としての送風ファン２、及びイオン発生手段としてのプラズマクラスタユニット３を備えている。図６に示すように、送風ハウジング１の内部は、隔壁１１により後側の吸気室１２と前側の送気室１３とに分割されている。吸気室１２は、送風ハウジング１の後面側の上端付近に開設された吸気口１５を介して外部に連通し、また送気室１３は、送風ハウジング１の前面側の上端付近に開設された送気口１７を介して外部に連通している。吸気室１２及び送気室１３は、隔壁１１の下部に設けた開口１１ａを経て相互に連通しており、吸気口１５から送気口１７に至る通気路を形成している。
【００２４】
送風ファン２は、羽根車２１と、羽根車２１を駆動するファンモータ２２とを備えている。ファンモータ２２は、送風ハウジング１の底部に固定されたケーシング２３内に取り付けられ、隔壁１１下部の開口１１ａに対向配置してある。送風ファン２の羽根車２１は、ファンモータ２２の駆動によって回転する。羽根車２１が回転した場合、図６の白抜矢符で示すように、送風ハウジング１後側の上端付近に設けた吸気口１５を経て、吸気室１２の内部に外気が吸入される。吸気室１２に吸入された外気は、吸気室１２の内部を下向きに流れ、隔壁１１下部の開口１１ａを経て羽根車２１に吸い込まれ、上向きに方向を変えて送気室１３の内部に導出される。そして、送気室１３の末端に設けられた案内路１６によって、送風方向が前記照射方向となるように変更されて、送気口１７を経て外部に送り出される。
【００２５】
送風ファン２と送気口１７との間には、プラスイオン及びマイナスイオンをそれぞれ同時的に発生させるプラズマクラスタユニット３が配設されている。プラズマクラスタユニット３を駆動している場合、送風ファン２から送気口１７へ向かう通気路中にプラスイオン及びマイナスイオンが放出され、イオンを含んだ空気が送気口１７より前記照射方向に送り出される。
【００２６】
イオン発生装置は、送風ハウジング１の筒軸方向に連設され、送風ハウジング１の外径よりも少しだけ小さな外径を有するタンクハウジング５を備える。タンクハウジング５の背面には開口部５１が設けられており、この開口部５１を閉塞するように裏蓋５２が着脱可能に取り付けられる。タンクハウジング５から裏蓋５２を取り外すことによって、内部を開放できるように構成している。
【００２７】
タンクハウジング５の内部には、水や化粧水などの液体を貯留するタンク５０が着脱自在に装着される。タンク５０内には、所定時間（例えば、３０秒）のミストの発生を所定回数（例えば、５回）だけ行える量の液体が貯留される。ミストの噴射によりタンク５０内の液体がなくなった場合、タンクハウジング５から取り出され、利用者によってタンク５０内に液体が補充される。
【００２８】
タンクハウジング５下部の前面側には、タンク５０と連設するようにミスト発生器６を設けてある。ミスト発生器６は、公知の手法によりミストを発生させる装置であり、不図示の吸水材や給水管を用いてタンク５０内の液体がミスト発生器６の内部に導入される。本実施の形態では、圧電素子を用いてタンク５０から導入された液体を霧状化することにより、ミストを発生させる構成としている。すなわち、ミストＳＷ１０２が押操作された場合、圧電素子に高周波信号を印加して、タンク５０から導入された液体中に超音波を発生させることにより、ミスト発生器６内で液体を霧状化し、ミストを発生させる。
【００２９】
ミスト発生器６内で発生させたミストは、ノズル６１を通じて噴射口６２よりタンクハウジング５の外部へ噴射される。ミスト発生器６のノズル６１は、イオンの照射方向と同方向を向くように方向が定められて設置されており、ノズル６１の先端に開設された噴射口６２よりミストを噴射することで、イオンと同方向にミストを噴射させることができる。
【００３０】
図７はイオン発生装置の制御系の構成を示すブロック図である。本実施の形態に係るイオン発生装置は、制御系の構成として、制御部１００、電源ＳＷ１０１、ミストＳＷ１０２、プラズマクラスタユニット３、モータ駆動部２０、ファンモータ２２、ミスト制御部６０、ミスト発生器６を備える。
【００３１】
制御部１００は、ＣＰＵ、ＲＯＭ、ＲＡＭなどを備え、電源ＳＷ１０１及びミストＳＷ１０２の入切りの状態に応じて、プラズマクラスタユニット３、モータ駆動部２０、ミスト制御部６０の動作を制御する。
具体的には、電源ＳＷ１０１の入操作を検知した場合、制御部１００は、プラズマクラスタユニット３及びモータ駆動部２０に対して動作開始信号を送出し、プラズマクラスタユニット３よりイオンを発生させると共に、送風ファン２を駆動して送風ハウジング１内に空気流を発生させる制御を行う。また、ミストＳＷ１０２の入操作を検知した場合、制御部１００は、ミスト制御部６０に対して動作開始信号を送出し、所定時間だけミストを発生させる制御を行う。
【００３２】
プラズマクラスタユニット３は、パルス発生回路、トランス、放電電極３１ｂ，３２ｂ（図９を参照）などを備え、制御部１００からの動作開始信号を受信した場合、放電電極３１ｂ，３２ｂに交流波形またはインパルス波形からなる電圧を印加することによって、後述するようなイオンを発生させる。
【００３３】
モータ駆動部２０は、送風ファン２のファンモータ２２を駆動するための駆動回路である。本実施の形態では、イオン発生装置が手持ちで使用されているか、クレードルに載置して使用されているかによって、ファンモータ２２の回転数を異ならせるようにしている。イオン発生装置が手持ちで使用され、内蔵バッテリからの電源供給を受けて動作している場合、制御部１００は、第１の回転数（回転速度）でファンモータ２２を駆動すべく制御信号をモータ駆動部２０に送出する。また、イオン発生装置がクレードルに載置され、商用電源からの電源供給を受けて動作している場合、第１の回転数より高い第２の回転数（回転速度）でファンモータ２２を駆動すべく制御信号をモータ駆動部２０に送出する。
【００３４】
モータ駆動部２０は、制御部１００からの指示に応じた回転数でファンモータ２２を駆動する。これにより、クレードルに載置して使用している場合には、手持ちで使用している場合と比較して風速を上げることができるので、イオンの到達距離を延ばすことができる。
【００３５】
ミスト制御部６０は、タイマ等を有し、制御部１００からの動作開始信号を受信した場合、ミスト発生器６によるミストの生成及び噴射を開始させると共に、ミストの生成及び噴射を開始してからの経過時間をタイマにより計時する。そして、経過時間が所定時間（例えば、３０秒）に達した場合、ミスト制御部６０は、ミスト発生器６によるミストの生成及び噴射を停止させる制御を行う。
【００３６】
図８はイオン発生装置の動作手順を説明するフローチャートである。イオン発生装置の電源ＳＷ１０１が入操作（オン）された場合（ステップＳ１１）、制御部１００は、プラズマクラスタユニット３及びモータ駆動部２０に対して駆動開始信号を送出し、プラズマクラスタユニット３及びモータ駆動部２０を駆動する（ステップＳ１２）。制御部１００は、内蔵バッテリからの電源供給を受けている場合、第１回転数でファンモータ２２を駆動するようにモータ駆動部２０に制御信号を与え、商用電源からの電源供給を受けている場合、第２回転数でファンモータ２２を駆動するようにモータ駆動部２０に制御信号を与える。
【００３７】
次いで、制御部１００は、ミストＳＷ１０２が入操作（オン）されたか否かを判断する（ステップＳ１３）。ミストＳＷ１０２が入操作されていない場合（Ｓ１３：ＮＯ）、制御部１００は、処理をステップＳ１８に移行させる。
【００３８】
ミストＳＷ１０２が入操作されたと判断した場合（Ｓ１３：ＹＥＳ）、制御部１００は、ミスト制御部６０に対して動作開始信号を送出し、ミスト発生器６を駆動する（ステップＳ１４）。
制御部１００から送出された動作開始信号を受信した場合、ミスト制御部６０は、ミスト発生器６によるミストの生成及び噴射を開始させると共に、内蔵タイマを作動させて経過時間の計時を開始する（ステップＳ１５）。
【００３９】
次いで、ミスト制御部６０は、計時を開始してから所定時間が経過したか否かを判断する（ステップＳ１６）。所定時間が経過していないと判断した場合（Ｓ１６：ＮＯ）、ミスト制御部６０は、所定時間が経過するまで待機する。
所定時間が経過したと判断した場合（Ｓ１６：ＹＥＳ）、ミスト制御部６０は、ミスト発生器６によるミストの生成及び噴射を停止させる（ステップＳ１７）。
【００４０】
次いで、制御部１００は、電源ＳＷ１０１が切操作（オフ）されたか否かを判断する（ステップＳ１８）。電源ＳＷ１０１が切操作されていない場合（Ｓ１８：ＮＯ）、制御部１００は、処理をステップＳ１３へ戻す。
電源ＳＷ１０１が切操作されたと判断した場合（Ｓ１８：ＹＥＳ）、制御部１００は、プラズマクラスタユニット３及びモータ駆動部２０に対して動作停止信号を送出し、プラズマクラスタユニット３及びファンモータ２２の駆動を停止する（ステップＳ１９）。
【００４１】
以下、本実施の形態に係るイオン発生装置が照射するイオン及びミストによる作用について説明する。
図９はプラズマクラスタユニット３及び送気口１７の位置関係を示す図である。プラズマクラスタユニット３は、送風ハウジング１内の送気室１３に面する側が開口した２つの凹部３１ａ，３２ａを有し、これらの凹部３１ａ，３２ａ内にはそれぞれ針状の放電電極３１ｂ，３２ｂが立設されている。
【００４２】
プラズマクラスタユニット３には、パルス発生回路、トランスなどが内蔵されていて、放電電極３１ｂ，３２ｂには、交流波形またはインパルス波形からなる電圧が印加される。一方の放電電極３１ｂには正電圧が印加され、電離により発生するイオンが空気中の水分と結合して、主として、Ｈ+ （Ｈ2 Ｏ）m （ｍは０又は任意の自然数）の組成からなるプラスイオン（クラスタイオン）が形成される。また、他方の放電電極３２ｂには負電圧が印加され、電離により発生するイオンが空気中の水分と結合して、主として、Ｏ2-（Ｈ2 Ｏ）n （ｎは０又は任意の自然数）の組成からなるマイナスイオン（クラスタイオン）が形成される。
【００４３】
本実施の形態では、送気口１７からのイオン濃度が１０万個／ｃｍ3 程度となるように、放電電極３１ｂ，３２ｂに印加する電圧の大きさ及びパルス周期を調整している。
【００４４】
前述したように、プラズマクラスタユニット３では、プラスイオン及びマイナスイオンを各別に発生させている。送風ハウジング１の上端付近に設けた送気口１７は、２つの放電電極３１ｂ，３２ｂの間隔よりも横方向に長い開口を形成している。また、送気口１７には、プラスイオンを含む空気とマイナスイオンを含む空気とを区画する区画壁１８を設けている。このため、送気口１７からは、プラスイオンを含む空気とマイナスイオンを含む空気とが分離した状態で前記照射方向へ送り出され、プラスイオン及びマイナスイオンは、その多くが送気口１７付近で結合することなく、照射部位である肌表面に到達し易くなる。
【００４５】
図１０はイオン及びミストの照射方向を示す模式図である。本実施の形態では、イオンの照射と共に、イオンの照射方向と同方向にミストを噴射することが可能である。ミストは、数μｍ程度の大きさの粒子により構成されており、空気中を浮遊する間に重力の作用を受けて鉛直下方に少しだけ流下する。一方のイオンは、比較的軽いナノサイズの粒子であるから、空気中を浮遊する間にその高度が若干上昇する。そのため、送気口１７及び噴射口６２から照射方向に適宜の距離を隔てた領域でイオン及びミストが混在した状態となる。
したがって、送風ファン２による風速及び噴射口６２からのミストの噴射速度を調整しておくことにより、照射部位である肌表面付近にてイオン及びミストを混在させた状態を作り出すことができる。
【００４６】
イオン発生装置から送り出されたプラスイオン及びマイナスイオンは、照射部位である肌表面において、以下のような反応を起こす。
【００４７】
（１）Ｈ+ （Ｈ2 Ｏ）m ＋Ｏ2-（Ｈ2 Ｏ）n →・ＯＨ＋１／２Ｏ2 ＋（ｍ＋ｎ）Ｈ2 Ｏ
（２）Ｈ+ （Ｈ2 Ｏ）m ＋Ｈ+ （Ｈ2 Ｏ）m’＋Ｏ2-（Ｈ2 Ｏ）n ＋Ｏ2-（Ｈ2 Ｏ）n’→２・ＯＨ＋Ｏ2 ＋（ｍ＋ｍ’＋ｎ＋ｎ’）Ｈ2 Ｏ
（３）Ｈ+ （Ｈ2 Ｏ）m ＋Ｈ+ （Ｈ2 Ｏ）m’＋Ｏ2-（Ｈ2 Ｏ）n ＋Ｏ2-（Ｈ2 Ｏ）n’→ Ｈ2 Ｏ2 ＋Ｏ2 ＋（ｍ＋ｍ’＋ｎ＋ｎ’）Ｈ2 Ｏ
【００４８】
すなわち、Ｈ+ イオン及びＯ2-イオンを同時的に肌表面に照射することにより、肌表面に・ＯＨ基が付着し、肌表面が局所的に親水化されて水分子が付着しやすい状態となる。特に、本実施の形態では、イオンの照射と共に、イオンの照射方向と同方向にミストを噴射することが可能であるため、肌表面に付着した・ＯＨ基の周囲に十分な水分子を供給することができ、より効率的にナノサイズの水分子を生成させることができ、この結果、水分子が肌に浸透しやすくなり、肌水分量を増加させることができるという効果を奏する。
【符号の説明】
【００４９】
１  送風ハウジング
２  送風ファン
３  プラズマクラスタユニット
５  タンクハウジング
６  ミスト発生器
１５  吸気口
１７  送気口
【図１】
2014057737.tif 000003
【図２】
2014057737.tif 000004
【図３】
2014057737.tif 000005
【図４】
2014057737.tif 000006
【図５】
2014057737.tif 000007
【図６】
2014057737.tif 000008
【図７】
2014057737.tif 000009
【図８】
2014057737.tif 000010
【図９】
2014057737.tif 000011
【図１０】
2014057737.tif 000012